(57)【特許請求の範囲】
【請求項１】
望遠鏡の周囲が発光するように発光体が一体に組込まれたことを特徴とする望遠鏡一体型コンサートペンライト。
【請求項２】
請求項１の該発光体はＬＥＤに給電することにより発光し、その発光を長手方向に伝搬する手段を備えたことを特徴とする望遠鏡一体型コンサートペンライト。
【請求項３】
請求項２のＬＥＤの発光色と発光タイミングを変更できる電気回路を備えたことを特徴とする望遠鏡一体型コンサートペンライト。
【請求項４】
請求項１の望遠鏡と発光体とが分離できることを特徴とする  望遠鏡一体型コンサートペンライト。
【請求項５】
請求項１で、発光体と熱的接触するヒートシンク部材を備え、前記ヒートシンク部材は単眼鏡の外周に沿って配置したことを特徴とする望遠鏡一体型コンサートペンライト。
【請求項６】
請求項５のヒートシンク部材は発光体が発する光を、拡散もしくは反射する表面加工、または表面形状にしたことを特徴とする望遠鏡一体型コンサートペンライト。
【請求項７】
請求項３の電気回路に複数のＣＰＵを搭載し、各々のＣＰＵに優先順位を指定する手段と、各々のＣＰＵ間で発光情報を共有するための通信手段とを備え、最も優先度の高いＣＰＵが統括制御することを特徴とする望遠鏡一体型コンサートペンライト。
【請求項８】
請求項３の電気回路に電源を供給する着脱可能な電源部を備え、前記電源部を本体に装着し、前記電気回路に給電が開始されたとき、全てのＬＥＤを一定時間発光させることを特徴とする望遠鏡一体型コンサートペンライト。
【請求項９】
請求項１の望遠鏡一体型コンサートペンライトであって、接眼部近傍に自立する手段を組込んで、スタンドとしても用いることができることを特徴とする望遠鏡一体型コンサートペンライト。
【発明の詳細な説明】
【技術分野】
【０００１】  本発明は、コンサートやスポーツ観戦等でライトによる照明とステージを拡大して観ることで、観客が一体で楽しむための商品に関するものである。
【背景技術】
【０００２】  現状のペンライトはコンサート会場で、観客が手に持ち、音楽やリズムに合わせて振ったり、点滅や色を変えたりして光の演出を行うことで、出演者（パフォーマー）と観客が一体となって、コンサートを楽しむために用いられている。【０００３】  一方、コンサート会場は近年巨大化して、ステージ上のパフォーマーが観客席からは豆粒のように小さくしか見えないために、電光掲示板で拡大しているものあるが、画素が粗く細かい表情などは見えないため、双眼鏡やオペラグラスや単眼鏡等の光学的拡大手段を持参して、拡大して観覧する観客も多い。【０００４】  しかし、  双眼鏡やオペラグラスや単眼鏡等の光学的拡大手段とペンライトを２つ持って観覧することは煩雑で面倒になる。【０００５】
【先行技術文献】
【特許文献】
【０００６】
【特許文献１】特許第５３８４７６０
【実用新案文献１】
実用新案公開平５−８３９０１
【実用新案文献１】
実用新案公開平５−２７９０１
【０００７】
【発明の概要】
【発明が解決しようとする課題】
【０００８】  一般的に上記実用新案等で、光学拡大鏡とライトを組み合わせて用いるものでは、顕微鏡の視野を明るくするためにライトと組み合わせて用いるものがあるが、望遠鏡と視覚で楽しむためのライトを組み合わせたものはない。  解決しようとする問題点は、観覧するときに、光学的拡大手段とペンライトを２つ持って観覧することは煩雑で面倒な点である。
【課題を解決するための手段】
【０００９】  本発明は、単眼望遠鏡を中心部に配設しこれまであったコンサートペンライトの光源や基板を望遠鏡の周囲に一体に組み込んだことを主要な特徴とする。
【発明の効果】
【００１０】  本発明の望遠鏡一体型コンサートペンライトは、ペンライトとして用いることもでき、ステージ上を観覧したいときは、拡大して観覧する等、時に応じて機能を使い分けられるという利点がある。
【図面の簡単な説明】
【００１１】
【図１】図１は望遠鏡一体型コンサートペンライトの全体を示す部分断面図である。（実施例１）
【００１２】
【図２】図２は望遠鏡一体型コンサートペンライトの他の実施例を示す部分断面図である。（実施例２）
【図３】図３は望遠鏡一体型コンサートペンライトの他の実施例を示す部分断面図である。（実施例３）
【図４】図４は望遠鏡一体型コンサートペンライトにかぶせたカバーで万華鏡となる全体を示す部分断面図である。（実施例４）
【図５】図５は望遠鏡一体型コンサートペンライトにＬＥＤの放熱板を反射板とした場合の全体を示す部分断面図である。（実施例５）
【図６】図６は望遠鏡一体型コンサートペンライトにＬＥＤの放熱板を反射板とした場合の全体を示す部分断面図である。（実施例６）
【図７】図７は望遠鏡一体型コンサートペンライトの接眼キャップと接眼部固定部を一体化したの２通りの実施例である。
【図８】図８は望遠鏡一体型コンサートペンライトの接眼キャップと接眼部カバー部を一体化したの別の実施例である。
【図９】図９は望遠鏡一体型コンサートペンライトの接眼キャップと接眼部カバー部を一体化したのテーブルスタンドの実施例である。
【図１０】図１０は複数のＣＰＵで駆動する場合のブロック図である。
【図１１】図１１は電池装填時の動作シーケンス図である。
【発明を実施するための形態】
【００１３】  コンサートペンライトの中心部に単眼鏡を組込み一体とした。
【実施例１】
【００１４】図１において１は単眼望遠鏡であり、１２は鏡筒部、１３は対物レンズ、１４は焦点を合わせるための溝カム、１５の接眼部からなる。【００１５】  ２は電装部であり、２１はドーナツ状基板で後述する動作を制御する。２２はＬＥＤで前記ドーナツ状基板２１上に各４色３セット計１２個実装されている。また、図示しないＣＰＵとタクタイル・スイッチが実装されている。ＣＰＵに書き込まれたプログラムによって、各ＬＥＤ２２の発光色と発光タイミングとを可変できる。これは後述するスイッチにより行う。【００１６】  ２５は電池で、２３と２４は電気接点であり、電池２５からドーナツ状基板２１に電源を供給する。２６はスイッチで、スイッチ２６のＯＮ時間とＯＮする順序に応じて、ＬＥＤの発光色や点灯モードが変更できる。【００１７】  ３は外装部であり、３１は前筒で透明のプラスチックからなる。３２は前枠で望遠鏡１の先端部と固定されている。３３は光拡散シートで、表面に反射膜をコートしている。光拡散シート３３はＬＥＤが点光源であるため、全体が光らない。そこで、拡散光にして、前筒３１全体が光らせる機能を持つ。３４は電池蓋であり、電池２５を３個収納する空間を形成する。３５は握り部であり、前記電池蓋３４と共に  グリップを形成する。３６は接眼部カバー部で望遠鏡１の接眼部１５の根元にネジでかみあわせることで固定されている。【００１８】  次にこの実施例のまずペンライトとしての動作を説明する。基板２１には制御プログラムが書き込まれたＣＰＵと複数のＬＥＤ２２、及びタクタイル・スイッチが実装されている。本体に電池２５を装填すると電気接点２３、２４を通して基板２１に給電され、ＣＰＵに書き込まれたプログラムが起動する。ペンライト機能の初期化を行った後、ペンライト機能が正常であることをユーザに知らせるために、全てのＬＥＤを約１秒間点灯させる。点灯後、速やかに少電力モードに移行し、ペンライト機能は殆ど電力が消費されない状態で待機する。【００１９】  スイッチ２６は基板２１上に実装されたタクタイル・スイッチと連動するようになっている。ＣＰＵは動作モードに関わらず逐次、スイッチを押している時間を計時している。この時間が設定した時間以上ＯＮしていると省電力モードから動作モードへ移行する。短かった場合には再び省電力モードに戻る。
動作モードに入ると初めに、以前メモリに記憶させた発光色や発光タイミング情報を読み込み、その情報を基にＬＥＤの点灯を開始する。【００２０】  動作モードでは、スイッチの押されている時間に応じて動作を変更する。０．１秒程度の短時間では点灯するＬＥＤ２２の発光色を変更をし、１秒程度の中時間では点灯モードを変更する。また、２秒以上ＯＮしていた場合には、現在の動作情報をメモリに記憶させた後、速やかに動作モードを終了し、省電力モードへ移行する。動作モードでは、ＬＥＤ２２が点灯や点滅をする。すると前筒３１全体が光る。その状態で、支持部の３５と電池蓋３４からなるグリップ部を握りながら振ることで楽しむ。【００２１】また、こんどは望遠鏡として用いる場合は外装部３やグリップ部を持ちながら、対象物に向かって、接眼レンズ部を目の光軸に合わせ、ピント調整は溝カム１４で接眼部１５を回転させながら、光軸長を変えて行い、拡大して観覧が可能となる。
【実施例２】
【００２２】  図２において、構造は基本的に図１と同じであるが、単眼望遠鏡１と、電装部２と外装部３からなる円筒状ペンライト部が別体となり、組み合わせても別体でも使用可能に構成したものである。【００２３】  この例においては、持ち運び時には一体として、使用するときには時に応じて別体にすることで、拡大鏡で観ながらペンライトを振ったり、それぞれ別の人が拡大鏡とペンライトを使用したりすることができる。また、拡大鏡は倍率が異なるものや、ガリレイ式やズーム機能の付いたものなど、一方、ペンライトは光るモードや異なる色や、コンサートの無線や光通信によりライトコントロールに連動するようなもので、仕様が異なっても組合せることのできる外形であれば、組合せも可能となる。
このような実装形態を採用したので、観覧を一層楽しめる効果がある。
【実施例３】
【００２４】  図３において、基本構造は基本的に図１と同じであるが、４は青、緑、赤にそれぞれ感度を持つ３個のフォト・ダイオードとアンプを搭載したカラー・センサーである。カラー・センサー４は前筒３１の外周に３ヶ所に、周囲の発光色のみを感知するようにフードで指向性を持たせて配置してある。このため、このカラー・センサー４は周囲の色を検知して、ＣＰＵが多数決で周囲の発光色を判定し、その発光色と最も近い発光をするようにＬＥＤ２２を駆動する機能を持たせている。スイッチ２６でそのモードを設定することができる。【００２５】  そのため、その発光モードにしておくと、コンサートの無線や光通信によりライトコントロールに連動するペンライトに合わせ、周りと同じタイミングで発光や色を合わせて光らすことが可能である。
【実施例４】
【００２６】図４において、図１の望遠鏡一体型コンサートペンライトを覆う５は万華鏡アダプターで、５１は筒部であって、内面は光を反射するミラーになっている。５２は前枠３２にはまるリングキャップであり、望遠鏡一体型コンサートペンライトを万華鏡アダプター５に固定すると同時に、ＬＥＤの光が漏れないような覆いの役割も果たす。５３はミラーで内側面が反射面で、３枚が向かい合って配置されている。５４は底カバーでこの内面もミラーになっている。５５は色々な光を反射しやすい細かいシートが複数個ある。５６は透明の窓イタで、底カバー５４と窓イタ５６の隙間に複数のシート５５を封入した状態にしてある。【００２７】  次に動作を示す。望遠鏡一体型コンサートペンライトのスイッチ２６をオンにして、万華鏡アダプター５内にセットして、対物レンズ１３側から覗くと、ＬＥＤ２２の光が筒部５１の内側で反射して底カバー５４や、ミラー５３で反射してシートが万華鏡として見られる。この時、ＬＥＤ２２の光るタイミングや色などが変化することで、非常に美しく見られる。【００２８】  筒部５１にスイッチ２６をアクセスできる穴を開けてあれば、万華鏡アダプター５をセットした状態でもスイッチ２６をオンオフできる。
コンサートの待ち時間においても、このような万華鏡アダプターと組合せることで、楽しい時間を過ごすことができる。この万華鏡そのものを外筒内に予め組み込んであってもよい。【００２９】  近年、発光体を高輝度ＬＥＤにして、目立ちやすくしているペンライトもある。ただ、高輝度ＬＥＤは多くの電流を必要とする分、発熱量も大きい。長さ方向に放熱のための部材を設けると握り部が長くなるなど、ペンライトのデザインに影響を及ぼしてしまう。そこで、望遠鏡の鏡筒外周周りに板状の放熱部材を設けてもよい。そうすれば、デザインに影響することなく放熱ができ、高輝度なペンライトとなり目立つことができる。
【実施例５】
【００３０】  具体的には、図５において、５は材質がアルミで、望遠鏡１の鏡筒部１２に沿った略円筒状に形成された放熱板ａである。ドーナツ状基板２１に実装した高輝度ＬＥＤ２２からの熱を放熱させるために、予め、放熱板ａ５とドーナツ状基板２１とは発熱面に放熱グリスを塗って、ネジ止め一体化されている。そのため、図５のように、組み立てる。この放熱板ａ５はまた、表面を反射率を高める表面処理、例えば電解研磨や化学エッチング処理をして、ＬＥＤ２２がらの光が前筒３１全体に拡散反射するようにしている。
【実施例６】
【００３１】  図６において、６は図５と同様であるが、表面積を増やすために波型に円筒面を処理した放熱板ｂである。組み立てや機能は図５と同様である。これら放熱板ａ５，放熱板ｂ６は鏡筒部１２の表面に放熱と反射板の機能を持たせてもよい。【００３２】    図７において、３６ｂ、３６ｃは接眼キャップと接眼部カバー部を一体化した接眼部カバーである。どちらかをネジ込んで装着する。図８のように装着した場合、接眼部カバー３６ｂは端部が丸みを帯びているので、コンサート中にペンライトとして手に持って振っても、引っかかりなく操作がしやすい。  一方、３６ｃの接眼部カバーは図９のように装着した場合、座面があって自立できるので、テーブルスタンドにすることもできる。【００３３】    また、発光源のＬＥＤは多種類のＬＥＤを実装すると輝度や発光色のバリエーションが増し、よりカラフルになる。また、高輝度なＬＥＤを採用するとペンライトがより明るく綺麗で、遠くからでもはっきりと目立つようになる。しかし、その分ＬＥＤを制御・駆動するＣＰＵの端子数が増えてしまう。ＣＰＵなどのＩＣのパッケージは、８ピン、１０ピン、１６ピンなどと離散的な端子数であるため、一挙に大きなパッケージとなったり、思わぬコストアップになったりする。そこで、複数のＣＰＵでＬＥＤ制御を分担させてもよい。しかし、各ＣＰＵが単独でＬＥＤを駆動した場合、発光色や発光モード、タイミングに差異が生じることがある。【００３４】    図１０はＣＰＵを２個使った場合の電気ブロック図である。ＣＰＵ＃１とＣＰＵ＃２は、それぞれ優先度指定端子を持っている。この端子は、入力が‘０’のときマスタ、‘１’のときスレーブと予め決めてある。ここでは、ＣＰＵ＃１がマスタとなり、スレーブであるＣＰＵ＃２の動作を制御できる。それぞれのＣＰＵ間は２本の通信信号で情報を共有する。制御信号ＳＣＫはクロック、ＳＤＴはデータであり、クロックに同期してデータを送受信する。この通信手段で、マスタＣＰＵはスレーブＣＰＵに対し、発光する色やタイミングを指示することやスレーブＣＰＵの異常などの情報を取得することができる。【００３５】  この例では、ＣＰＵが２個としているが、３個以上であってもよい。また、優先度指定端子は所謂、アドレスと同じ意味合いなので、どのアドレスが最も優先度が高いかを取り決めればよい。ここでの通信信号は２線通信であるが、１線通信でも３線以上でもよい。このように、同じ制御プログラムでも、優先順位（アドレス）が指定されているため、各々異なる動作をさせることができる。【００３６】  図１１に電池交換したときの動作シーケンスを示す。本体に電池２５を装填すると基板２１に給電が開始され、ＣＰＵに予め書き込まれているプログラムが起動する。ＣＰＵ内部ロジックの初期化や内蔵メモリの初期化、全てのＬＥＤの消灯などの初期化処理を行う。初期化処理が問題なく終了したら、色ごとに逐次、ＬＥＤを約１秒間点灯させＬＥＤ検査処理を実施する。具体的には、赤色ＬＥＤ⇒緑色ＬＥＤ⇒青色ＬＥＤ⇒白色ＬＥＤの順番に、それぞれ約１秒間点灯させる。白色ＬＥＤを点灯し終えたら、速やかに少電力モードに移行し、殆ど電力が消費されない状態でスイッチ２５が押されるまで待機���る。【００３７】  ユーザは電池の装填時に、赤⇒緑⇒青⇒白の順番にペンライトが光ることで、電池が正しく装填できたことと、全てのＬＥＤが正常に点灯できることを知り安心して使うことができる。ここで示した色の順番に限定はなく、どんな順番で点灯してもよい。また、全てのＬＥＤを一斉に点灯してもよい。また、ＬＥＤの点灯時間は１秒間に限定しない。このように、取り外しができる電源の場合には、装填後に自己診断を実施するが、充電式電源などの場合には、取り外すことができない。そのため、自己診断機能をスイッチで選択することもできるし、充電器を取り外したタイミングでもよい。【００３８】  実施例において、中心部に配置される望遠鏡はガリレイ式であるが、プリズム式でもよいし、ズーム式で倍率が任意に変更できるタイプのものであってもよい。
基板はドーナツ状の形をしているが、フレキによるシート状のもので、円筒状に形成して、かつ、電池をシート状のフィルム電池にしたり、外径を小さくする工夫をしてもよい。【００３９】  ペンライトは振りながら光らせて用いることが多いので、振ることで磁石を摺動させ、コイルが誘導発電する発電機を内蔵していてもよい。発光体の前面に光の集光や拡散のための部材を設けても良いし、複数のＬＥＤをドーナッツ状に配置したことで、望遠鏡の周囲をぐるぐると回りながら発光させることもできる。【００４０】  最近はスマートフォンの充電池を持ち歩いている人も多いので、このような充電池につながるアダプターを付けておいてもより長く光らせることができるので、一層楽しめることができる。実施例３での色センサー４はＣＣＤやＣＭＯＳなどのイメージセンサーであってもよい。
【産業上の利用可能性】
【００４１】  このように、本発明の望遠鏡一体型コンサートペンライトは、ペンライトとして用いることもでき、ステージ上を観覧したいときは、拡大して観覧する等、時に応じて機能を使い分けられるという利点がある。
【符号の説明】
【００４２】  １    単眼望遠鏡
１２    鏡筒部
１３    対物レンズ
１４    溝カム
１５    接眼部
２    電装部
２１    ドーナツ状基板
２２    ＬＥＤ
２３    電池
２４    接点
２５    接点
２６    スイッチ
３      外装部
３１    前筒
３２    前枠
３３    光拡散シート
３４    電池蓋
３５    握り部
３６    接眼部カバー部
３６ｂ    接眼部カバー
３６ｃ    接眼部カバー
４      色センサー
５      放熱板ａ
６      放熱板ｂ
【図１】
0006447902.tif 000002
【図２】
0006447902.tif 000003
【図３】
0006447902.tif 000004
【図４】
0006447902.tif 000005
【図５】
0006447902.tif 000006
【図６】
0006447902.tif 000007
【図７】
0006447902.tif 000008
【図８】
0006447902.tif 000009
【図９】
0006447902.tif 000010
【図１０】
0006447902.tif 000011
【図１１】
0006447902.tif 000012